(57)【要約】【課題】  超音波診断装置を用いた組織弾性イメージングにおいて超音波プローブの位置ずれを防止し、また、超音波穿刺術においても安全且つ有効な組織弾性イメージングを可能とする超音波プローブ等を提供することを提供すること。【解決手段】  被検体の病変部を圧迫することにより変形させてその組織の硬さを検出し、病変部若しくは病変部周囲の状態を診断する組織弾性イメージング方法において用いられる圧迫用アダプタであって、病変部を組織弾性イメージング方法によって映像化するために用いられる超音波プローブに対し、被検体表面（超音波照射面）に垂直な方向に沿って移動可能となっている。この圧迫用アダプタを、超音波プローブとは独立に被検体表面に垂直な方向に沿って移動させ被検体表面を押動することで、病変部を圧迫することができる。【選択図】      図２
2006255015.tif 000002
【特許請求の範囲】
【請求項１】
被検体を圧迫することにより変形させてその組織の硬さを検出し、前記被検体の状態を診断する組織弾性イメージング方法において用いられる圧迫用アダプタであって、前記被検体を前記組織弾性イメージング方法によって映像化するために用いられる超音波プローブに対し、当該被検体表面に実質的に垂直な方向に沿って移動可能であり、当該方向に沿って被検体表面を押動することで、前記被検体を圧迫することを特徴とする超音波プローブ用アダプタ。
【請求項２】
前記超音波プローブを当接する該被検体表面の近傍を振動させることで前記被検体を圧迫する振動手段をさらに具備することを特徴とする請求項１記載の超音波プローブ用アダプタ。
【請求項３】
被検体を圧迫することにより変形させてその組織の硬さを検出し、前記被検体の状態を診断する組織弾性イメージング方法において用いられる圧迫用アダプタであって、
前記組織弾性イメージング方法において用いられる超音波プローブを当接する該被検体表面の近傍を振動させることで前記被検体を圧迫する振動手段を具備すること、
を特徴とする超音波プローブ用アダプタ。
【請求項４】
前記振動手段を駆動するための駆動信号を、前記組織弾性イメージング方法において用いられる超音波診断装置から受信するための受信手段をさらに具備することをと特徴とする請求項２又は３記載の超音波プローブ用アダプタ。
【請求項５】
被検体を圧迫することにより変形させてその組織の硬さを検出し、前記被検体の状態を診断する組織弾性イメージング方法において用いられる超音波プローブであって、
所定の形態にて配列され、被検体に対して超音波パルスの送信を行い、当該被検体からエコー信号を受信する複数の超音波振動子と、
前記複数の超音波振動子に対し、被検体表面に実質的に垂直な方向に沿って移動可能であり、当該方向に沿って被検体表面を押動することで、前記被検体を圧迫するための圧迫用アダプタを具備すること、
を特徴とする超音波プローブ。
【請求項６】
前記圧迫用アダプタは、当該超音波プローブを当接する該被検体表面の近傍を振動させることで前記被検体を圧迫する振動手段をさらに具備することを特徴とする請求項５記載の超音波プローブ。
【請求項７】
被検体を圧迫することにより変形させてその組織の硬さを検出し、前記被検体を診断する組織弾性イメージング方法において用いられる超音波プローブであって、
当該超音波プローブを当接する該被検体表面の近傍を振動させることで前記被検体を圧迫する振動手段を具備すること、
を特徴とする超音波プローブ。
【請求項８】
前記振動手段を駆動するための駆動信号を、前記組織弾性イメージング方法において用いられる超音波診断装置から受信するための受信手段をさらに具備することをと特徴とする請求項６又は７記載の超音波プローブ。
【請求項９】
被検体を圧迫することにより変形させてその組織の硬さを検出し、前記被検体の状態を診断する組織弾性イメージング方法において用いられる超音波診断装置であって、
前記被検体に対して超音波パルスの送信を行い、当該被検体からのエコー信号を受信する超音波プローブと、
前記超音波プローブに対し、被検体表面に実質的に垂直な方向に沿って移動可能であり、当該方向に沿って被検体表面を押動することで、前記被検体を圧迫する圧迫用アダプタと、
を具備することを特徴とする超音波診断装置。
【請求項１０】
前記圧迫用アダプタは、前記超音波プローブを当接する該被検体表面の近傍を振動させることで前記被検体を圧迫する振動手段を有することを特徴とする請求項９記載の超音波診断装置。
【請求項１１】
被検体を圧迫することにより変形させてその組織の硬さを検出し、前記被検体の状態を診断する組織弾性イメージング方法において用いられる超音波診断装置であって、
前記被検体に対して超音波パルスの送信を行い、当該被検体からのエコー信号を受信する超音波プローブと、
前記超音波プローブを当接する該被検体表面の近傍を振動させることで前記被検体を圧迫する振動手段と、
を具備することを特徴とする超音波診断装置。
【請求項１２】
前記振動手段を駆動するための駆動信号を発生する信号発生手段と、
前記駆動信号を前記振動手段に送信するための送信手段と、
をさらに具備することをと特徴とする請求項１０又は１１記載の超音波診断装置。
【発明の詳細な説明】
【技術分野】
【０００１】
本発明は、超音波診断装置を用いた組織弾性イメージングにおいて用いられる超音波プローブ、超音波プローブ用アダプタ及び超音波診断装置に関する。
【背景技術】
【０００２】
超音波診断装置は超音波パルス反射法により、体表から生体内の軟組織の断層像を無侵襲に得る医療用画像機器である。この超音波診断装置は、他の医療用画像機器に比べ、小型で安価、Ｘ線などの被爆がなく安全性が高い、血流イメージングが可能等の特長を有し、心臓、腹部、泌尿器、および産婦人科などで広く利用されている。
【０００３】
この超音波診断装置を用いた診断技法に、組織弾性イメージング方法と呼ばれるものがある。これは、被検体の病変部を圧迫することにより変形させて被検体の組織の硬さを検出し、病変部若しくは病変部周囲の状態を診断する方法である。この病変部の圧迫は、図１２に示すように超音波プローブに固定された圧迫用アダプタを当該超音波プローブと共に被検体表面上で上下に移動させ、被検体表面から圧力を加えることによって実行される。
【０００４】
しかしながら、従来の構成による組織弾性イメージング方法では、次の様な問題がある。
【０００５】
まず、圧迫用アダプタは超音波プローブに固定されているため、病変部に圧迫を加える際には、超音波プローブも一緒に上下移動させる必要がある。そのため、撮影断面の位置ずれが発生する場合があり、係る場合には、操作者は再び撮影断面の設定を強いられることになると共に、圧迫直後の病変部に関する超音波画像を取得できない可能性もある。
【０００６】
また、超音波プローブと一体化された圧迫アダプタの上下動が人為的操作によるため、操作者による圧迫強度等のばらつきが発生し、安定的な診断情報を取得することが困難となる場合がある。
【０００７】
さらに、超音波診断装置を用いる診断技法として、組織弾性イメージング方法による超音波ガイド下の超音波穿刺術がある。超音波穿刺術とは、医師がリアルタイムで取得される超音波画像を観察しながら穿刺針を被検体中に刺し込み、当該針よりラジオ波を放射して被検体の病変部を焼灼したり、病変部若しくは病変部周囲の組織を検査のために取得する場合に用いられる診断技法である。この超音波穿刺術においては、図１３に示す様に超音波プローブに穿刺用アダプタを取り付け、当該アダプタのガイド溝に沿って穿刺針を被検体内に挿入することで、超音波穿刺術を実行する。
【０００８】
しかしながら、従来の構成によって超音波ガイド下の超音波穿刺術を実行しようとすれば、組織弾性イメージング法によって腫瘍、結節等が発見できても、図１４に示す様に超音波プローブの上下移動のために穿刺アダプタも移動してしまうため、穿刺術と組織弾性イメージングとを同時に行うことはできない。
【０００９】
なお、本願に関連する公知文献としては、例えば次のようなものがある。
【特許文献１】特開２００１−１６１６８３号公報
【発明の開示】
【発明が解決しようとする課題】
【００１０】
本発明は、上記事情を鑑みてなされたもので、超音波診断装置を用いた組織弾性イメージングにおいて超音波プローブの位置ずれを防止し、また、超音波穿刺術においても安全且つ有効な組織弾性イメージングを可能とする超音波プローブ、超音波プローブ用アダプタ及び超音波診断装置を提供することを目的としている。
【課題を解決するための手段】
【００１１】
本発明は、上記目的を達成するため、次のような手段を講じている。
【００１２】
本発明の第１の視点は、被検体を圧迫することにより変形させてその組織の硬さを検出し、前記被検体の状態を診断する組織弾性イメージング方法において用いられる圧迫用アダプタであって、前記被検体を前記組織弾性イメージング方法によって映像化するために用いられる超音波プローブに対し、当該被検体表面に実質的に垂直な方向に沿って移動可能であり、当該方向に沿って被検体表面を押動することで、前記被検体を圧迫することを特徴とする超音波プローブ用アダプタである。
【００１３】
本発明の第２の視点は、被検体を圧迫することにより変形させてその組織の硬さを検出し、前記被検体の状態を診断する組織弾性イメージング方法において用いられる圧迫用アダプタであって、前記組織弾性イメージング方法において用いられる超音波プローブを当接する該被検体表面の近傍を振動させることで前記被検体を圧迫する振動手段を具備すること、を特徴とする超音波プローブ用アダプタである。
【００１４】
本発明の第３の視点は、被検体を圧迫することにより変形させてその組織の硬さを検出し、前記被検体の状態を診断する組織弾性イメージング方法において用いられる超音波プローブであって、所定の形態にて配列され、被検体に対して超音波パルスの送信を行い、当該被検体からエコー信号を受信する複数の超音波振動子と、前記複数の超音波振動子に対し、被検体表面に実質的に垂直な方向に沿って移動可能であり、当該方向に沿って被検体表面を押動することで、前記被検体を圧迫するための圧迫用アダプタを具備すること、を特徴とする超音波プローブである。
【００１５】
本発明の第４の視点は、被検体を圧迫することにより変形させてその組織の硬さを検出し、前記被検体を診断する組織弾性イメージング方法において用いられる超音波プローブであって、当該超音波プローブを当接する該被検体表面の近傍を振動させることで前記被検体を圧迫する振動手段を具備すること、を特徴とする超音波プローブである。
【００１６】
本発明の第５の視点は、被検体を圧迫することにより変形させてその組織の硬さを検出し、前記被検体の状態を診断する組織弾性イメージング方法において用いられる超音波診断装置であって、前記被検体に対して超音波パルスの送信を行い、当該被検体からのエコー信号を受信する超音波プローブと、前記超音波プローブに対し、被検体表面に実質的に垂直な方向に沿って移動可能であり、当該方向に沿って被検体表面を押動することで、前記被検体を圧迫する圧迫用アダプタと、を具備することを特徴とする超音波診断装置である。
【００１７】
本発明の第６の視点は、被検体を圧迫することにより変形させてその組織の硬さを検出し、前記被検体の状態を診断する組織弾性イメージング方法において用いられる超音波診断装置であって、前記被検体に対して超音波パルスの送信を行い、当該被検体からのエコー信号を受信する超音波プローブと、前記超音波プローブを当接する該被検体表面の近傍を振動させることで前記被検体を圧迫する振動手段と、
を具備することを特徴とする超音波診断装置である。
【発明の効果】
【００１８】
以上本発明によれば、超音波診断装置を用いた組織弾性イメージングにおいて超音波プローブの位置ずれを防止し、また、超音波穿刺術においても安全且つ有効な組織弾性イメージングを可能とする超音波プローブ、超音波プローブ用アダプタ及び超音波診断装置を実現することができる。
【発明を実施するための最良の形態】
【００１９】
以下、本発明の実施形態を図面に従って説明する。なお、以下の説明において、略同一の機能及び構成を有する構成要素については、同一符号を付し、重複説明は必要な場合にのみ行う。
【００２０】
図１は、本実施形態に係る超音波診断装置のブロック構成図を示している。同図に示すように、本超音波診断装置は、超音波プローブ１、記憶部３０、入力部７、モニター２５、装置本体５０とから構成されている。
【００２１】
超音波プローブ１は、超音波を発生して被検体に送信し、及び当該被検体内で反射した反射波を受信してエコー信号を発生するものであり、圧電セラミック等の音響／電気可逆的変換素子としての圧電振動子に電極が設けられた超音波振動子を複数有する。複数の超音波振動子は並列され、当該超音波プローブ１の先端に装備される。
【００２２】
入力部７は、操作パネル上に液晶表示パネルやキーボード、トラックボール、マウス、組織弾性イメージングを実行するための専用のＩ／Ｆ等の入力デバイスを備える。操作者は、この入力部７より患者情報やレート周期Ｔｒ などの送受信条件の入力、あるいは画像表示モードの選択などを行なう。
【００２３】
モニター２５は、装置本体５０からの受け取るビデオ信号に基づいて、生体内の形態学的情報や、血流情報を画像として表示する。このモニター２５上に表示された画像等は、入力部７等からの所定の操作に応答して、装置本体５０内の記憶部に記憶される。
【００２４】
装置本体５０は、超音波プローブ１から送信される超音波の送信制御を行う超音波送信部２、超音波プローブ１によって受信されたエコー信号に対して前処理を行う超音波受信部３、前処理が施されたエコー信号からハーモニック成分を検出するハーモニック検出部４、検出されたハーモニック成分に対して所定の信号処理を施し画像データを生成する信号処理部５、画像データに基づいて超音波画像を生成し表示する画像表示部８、制御回路（ＣＰＵ）６、記憶部３０を具備している。
【００２５】
超音波送信部２は、レートパルス発生器１１と、送信遅延回路１２と、パルサ１３を備えている。レートパルス発生器１１は、被検体内に放射する超音波パルスの繰り返し周期（レート周期）を決定するレートパルスを発生して送信遅延回路１２に供給する。次いで、送信遅延回路１２は、送信に使用される超音波振動子と同数のＭチャンネルの独立な遅延回路から構成され、超音波パルスを所定の深さに集束するための集束用遅延時間と、超音波パルスを所定の方向に送信するための偏向用遅延時間を受信したレートパルスに与え、このレートパルスをパルサ１３に供給する。又、パルサ１３は、送信遅延回路１２と同数のＭチャンネルの独立な駆動回路を有している。各駆動回路が発生する駆動信号を超音波プローブ１に装備された超音波振動子に印加することで各超音波振動子が駆動され、被検体内に超音波パルスを放射する。
【００２６】
超音波受信部３は、プリアンプ１４と、Ａ／Ｄ変換器１５と、ビームフォーマ１６と、加算器２８を備えている。プリアンプ１４は、超音波振動子によって電気的な受信信号に変換された微小信号を増幅し、十分なＳ ／Ｎを確保するように設計されており、このプリアンプ１４において所定の大きさに増幅された受信信号の基本波成分及び高調波成分は、Ａ／Ｄ変換器１５にてデジタル信号に変換され、ビームフォーマ１６に送られる。ビームフォーマ１６は、所定の深さからの超音波反射波を集束するための集束用遅延時間と、超音波反射波の受信指向性を順次変更して被検体を走査するための偏向用遅延時間をデジタル信号に変換された受信信号に与え、加算器２８は、これらビームフォーマ１６からの出力を整相加算（所定の方向から得られた受信信号を、位相を合わせて加算）する。
【００２７】
ハーモニック抽出部４は、波形メモリ１７と、加減算器１８と、フィルタ回路１９を備えており、波形メモリ１７ は、所定の方向における１回目の送受信によって得られる受信信号を一旦記憶する。加減算器１８は、前記所定の方向における２〜ｎ回目（ｎは二以上の自然数。ここでは、ｎ＝４とする。）の送受信によって得られる受信信号と、前記波形メモリ１７に保存されている受信信号を加算または減算する。一方、フィルタ回路１９は、臓器の動きや体動などが原因で、フェーズインバージョン法では消去させることができなかった基本波成分を低減するフィルタである。
【００２８】
信号処理部５は、包絡線検波器２０と対数変換器２１とパーシスタンス変換器２２を備えており、包絡線検波器２０は、入力されたデジタル信号に対して包絡線検波の演算を行ない、その包絡線を検出する。又、対数変換器２１は、入力値を対数変換して出力するルックアップテーブルを備え、この対数変換器２１において受信信号の振幅を対数変換して弱い信号を相対的に強調する。パーシスタンス変換器は、数フレーム分の走査線を一旦メモリに記憶しておき、輝度変化を平均化する処理を行う。
【００２９】
画像表示部８は、表示用画像メモリ２３と、変換回路２４とを備えている。表示用画像メモリ２３には、信号処理部５から供給される画像データと、この画像データに関連する文字や数字などの付帯データが合成されて一旦保存される。保存された画像データと付帯データは、変換回路２４においてＤ／Ａ変換とテレビフォーマット変換が行なわれてＣＲＴモニター２５に表示される。
【００３０】
制御回路６は、ユーザの入力部７から入力されたモード選択、送信開始・終了等の指示に基づき、記憶部３０に記憶された送受信条件や専用プログラムを読み出し、これらに従って、各ユニットやシステム全体を静的又は動的に制御する。
【００３１】
記憶部３０は、過去に撮影した画像、ネットワークや脱着式記憶媒体によって本装置に取り込まれた画像、所定の撮影シーケンスを実行するための専用プログラム等を記憶している。
【００３２】
（弾性イメージング用超音波プローブ）
次に、本超音波診断装置が有する組織弾性イメージング用超音波プローブについて説明する。この組織弾性イメージング用超音波プローブは、被検体表面から加える圧迫によって生じる歪みに基づき、病変部の硬さを検出し診断する組織弾性イメージングに用いられるものである。
【００３３】
図２は、本組織弾性イメージング用超音波プローブの構成を説明するための図である。同図に示すように、組織弾性イメージング用超音波プローブは、超音波プローブ１、圧迫用アダプタ３０を有している。
【００３４】
圧迫用アダプタ３０は、被検体表面から病変部に圧迫を加える際に用いられるものであり、所定の人体適合性を有するもの（すなわち、接触させた場合でも人体に影響のないもの）であれば、その素材は特に限定しない。この圧迫用アダプタ３０は、超音波プローブ１に対して（超音波プローブ１とは独立に）被検体表面（又は超音波照射面Ｓ）に実質的に垂直な方向Ｄに沿って移動可能となっている。従って、操作者は、図３に示すように、超音波プローブ１を静止させたまま圧迫用アダプタ３０を方向Ｄに沿って移動させ、圧迫面Ｐにより被検体表面を押圧することで、病変部に圧迫を加えることができる。
【００３５】
なお、図２の例においては、超音波プローブ１と別体構造の圧迫用アダプタ３０を示した。しかしながら、これに拘泥されず、超音波プローブ１に対して超音波送受信方向に沿って移動可能であれば、超音波プローブ１と一体構造とする構成であってもよい。
【００３６】
また、図４は、超音波穿刺術対応の組織弾性イメージング用超音波プローブの構成を説明するための図である。同図に示すように、本組織弾性イメージング用超音波プローブは、超音波プローブ１、穿刺術対応圧迫用アダプタ３１、穿刺アダプタ３２を有している。
【００３７】
穿刺術対応圧迫用アダプタ３１は、図２に示した圧迫用アダプタ３０と同じく被検体表面から病変部に圧迫を加える際に用いられるものであり、超音波プローブ１及び穿刺アダプタ３２に対して（超音波プローブ１及び穿刺アダプタ３２とは独立に）方向Ｄに沿って移動可能となっている。従って、操作者は、図５に示すように、超音波プローブ１及び穿刺針Ｎを装着した穿刺アダプタ３２を静止させたまま圧迫用アダプタ３１を方向Ｄに沿って移動させ、圧迫面Ｐにより被検体表面を押圧することで、病変部に圧迫を加えることができる。
【００３８】
なお、図４の例においては、超音波プローブ１及び穿刺アダプタ３２と別体構造の穿刺術対応圧迫用アダプタ３１を示した。しかしながら、これに拘泥されず、超音波プローブ１及び穿刺アダプタ３２に対して超音波送受信方向に沿って移動可能であれば、超音波プローブ１及び穿刺アダプタ３２の少なくとも一方と一体構造とする構成であってもよい。
【００３９】
また、上記図２乃至図５に示した組織弾性イメージング用超音波プローブは、手動によって圧迫用アダプタ３０、３１を上下移動させることで、検体表面から病変部に圧迫を加えるものである。これに対し、図６乃至図９に示すように、圧迫用アダプタ３０、３１の圧迫面Ｐ側にバイブレータ３３を設け、超音波診断装置から所定のタイミングでケーブル３４を介して駆動信号を供給することで動作させ、検体表面から病変部に圧迫を加えるようにしてもよい。
【００４０】
図１０は、バイブレータ付き組織弾性イメージング用超音波プローブを有する超音波診断装置の構成の一例を示した図である。動図に示すように、本超音波診断装置は、バイブレータ３３を駆動するための駆動部４０を具備している。駆動部４０は、制御回路６からの制御に従って、所定のタイミングでバイブレータ３３に駆動信号を供給する。バイブレータ３３は、供給された駆動信号に基づいて振動し、被検体表面から病変部を圧迫する。
【００４１】
係る構成とすれば、手動により圧迫用アダプタ３０、３１を上下移動させる必要がなくなり、超音波穿刺術中における操作者（術者）の作業負担を軽減させることができる。
【００４２】
（動作）
次に、本超音波診断装置の組織弾性イメージングを利用した穿刺術における動作について説明する。
【００４３】
図１１は、組織弾性イメージングを利用した穿刺術において実行される処理の流れを示したフローチャートである。同図に示すように、まず、患者情報、診断部位等が入力され、組織弾性イメージングを実行するための撮影シーケンス等が選択される（ステップＳ１）。術者は、超音波画像をリアルタイムで取得しこれを観察しながら、超音波プローブ１を適当な位置に合わせ、治療対象をモニタリングするための超音波画像の位置（断層位置）を決定する（ステップＳ２）。
【００４４】
次に、術者は、超音波プローブ１を被検体表面に固定した状態のまま、手動によって圧迫用アダプタ３０、３１を上下移動させることで、検体表面から病変部に圧迫を加える。又は、術者は、所定の操作（例えば、入力部７や超音波プローブ１に設けられた所定スイッチの操作）により、圧迫用アダプタ３０、３１に設けられたバイブレータを駆動することで、検体表面から病変部に圧迫を加える。この圧迫の前後にわたって超音波画像収集が行われ、病変部の硬さを検出し診断するための組織弾性イメージングが実行される（ステップＳ４）。
【００４５】
次に、術者により、リアルタイムに取得される超音波画像を観察しながら穿刺針を操作することで穿刺術を実行し（ステップＳ５）、任意のタイミングで組織弾性イメージングが必要か否かを判定し（ステップＳ６）、必要である場合にはステップＳ３〜Ｓ５までの操作を繰り返す。
【００４６】
一方、ステップＳ６において組織弾性イメージングを実行する必要がないと判定した場合には、通常の超音波イメージング（すなわち、非組織弾性イメージング）によって超音波画像を取得し（ステップＳ７）、引き続き穿刺術を継続する場合には、ステップＳ５〜Ｓ７までの処理が繰り返し実行される（ステップＳ８）。
【００４７】
以上述べた構成によれば、以下の効果を得ることができる。
【００４８】
本超音波診断装置によれば、組織弾性イメージングにおいて、超音波プローブとは独立して移動可能な圧迫用アダプタを用いて病変部に圧迫を加えることができる。そのため、当該圧迫時における超音波プローブの位置ずれを防止することができ、従って、モニタリング中の超音波画像の位置ずれを防止することができる。その結果、断層位置が固定されプローブ移動に伴うアーチファクトのない良好な組織弾性イメージングを実現することができ、医用情報の質の向上に寄与することができる。
【００４９】
また、上記効果に加えて、組織弾性イメージングにおいて、超音波プローブ及び穿刺アダプタとは独立して移動可能な圧迫用アダプタを用いて病変部に圧迫を加えることができる。そのため、超音波穿刺術においても穿刺針の移動を伴わない病変部圧迫を行うことができ、安全且つ有効な組織弾性イメージングを実現することができる。
【００５０】
また、バイブレータ付き圧迫用アダプタを用いることで、操作者は手動にて圧迫用アダプタを上下移動させる必要がない。その結果、術中における操作者の作業負担を軽減させることができる。
【００５１】
また、バイブレータ付き圧迫用アダプタを用いることで、均一性の取れた病変部圧迫を実現することができる。その結果、手動の場合と比較して、術者による圧迫強度のばらつきをなくすことができ、客観性の高い組織弾性イメージングを実現することができる。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００５３】
以上本発明によれば、超音波診断装置を用いた組織弾性イメージングにおいて超音波プローブの位置ずれを防止し、また、超音波穿刺術においても安全且つ有効な組織弾性イメージングを可能とする超音波プローブ、超音波プローブ用アダプタ及び超音波診断装置を実現することができる。
【図面の簡単な説明】
【００５４】
【図１】図１は、本実施形態に係る超音波診断装置のブロック構成の一例を示した図である。
【図２】図２は、組織弾性イメージング用超音波プローブの構成を説明するための図である。
【図３】図３は、組織弾性イメージング用超音波プローブを用いた病変部の圧迫操作を説明するための図である。
【図４】図４は、超音波穿刺術対応の組織弾性イメージング用超音波プローブの構成を説明するための図である。
【図５】図５は、超音波穿刺術対応の組織弾性イメージング用超音波プローブを用いた病変部の圧迫操作を説明するための図である。
【図６】図６は、バイブレータ付き組織弾性イメージング用超音波プローブの構成を説明するための図である。
【図７】図７は、バイブレータ付き組織弾性イメージング用超音波プローブを用いた病変部の圧迫操作を説明するための図である。
【図８】図８は、バイブレータ付き超音波穿刺術対応の組織弾性イメージング用超音波プローブの構成を説明するための図である。
【図９】図９は、バイブレータ付き超音波穿刺術対応の組織弾性イメージング用超音波プローブを用いた病変部の圧迫操作を説明するための図である。
【図１０】図１０は、バイブレータ付き組織弾性イメージング用超音波プローブを有する超音波診断装置の構成の一例を示した図である。
【図１１】図１１は、組織弾性イメージングを利用した穿刺術において実行される処理の流れを示したフローチャートである。
【図１２】図１２は、従来の組織弾性イメージング用超音波プローブの構成を説明するための図である。
【図１３】図１３は、従来の超音波穿刺術対応の組織弾性イメージング用超音波プローブの構成を説明するための図である。
【図１４】図１４は、従来の超音波穿刺術対応の組織弾性イメージング用超音波プローブを用いた病変部の圧迫操作を説明するための図である。
【符号の説明】
【００５５】
１…超音波プローブ、２…超音波送信部、３…超音波受信部、４…ハーモニック検出部、５…信号処理部、７…入力部、８…画像表示部、６…制御回路（ＣＰＵ）、１１…レートパルス発生器、１２…送信遅延回路、１３…パルサ、１４…プリアンプ、１５…Ａ／Ｄ変換器、１６…ビームフォーマ、１７…波形メモリ、１８…加減算器、１９…フィルタ回路、２０…包絡線検波器、２１…対数変換器、２２…パーシスタンス変換器、２３…表示用画像メモリ、２４…変換回路、２５…モニター、２８…加算器、３０…記憶部、５０…装置本体、
【図１】
2006255015.tif 000003
【図２】
2006255015.tif 000004
【図３】
2006255015.tif 000005
【図４】
2006255015.tif 000006
【図５】
2006255015.tif 000007
【図６】
2006255015.tif 000008
【図７】
2006255015.tif 000009
【図８】
2006255015.tif 000010
【図９】
2006255015.tif 000011
【図１０】
2006255015.tif 000012
【図１１】
2006255015.tif 000013
【図１２】
2006255015.tif 000014
【図１３】
2006255015.tif 000015
【図１４】
2006255015.tif 000016